【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
操作手段におけるオペレータ操作に従ったジョブ処理を実行するジョブ処理装置の操作履歴を複数記憶可能な記憶手段に記憶された操作履歴を利用可能にしたジョブ処理システムであって、
認証手段によるオペレータの認証処理がなされた場合に、前記記憶手段から取得した当該認証処理がなされたオペレータに対する提示を許可する操作履歴の選択候補を前記操作手段に表示させる表示制御手段と、
前記選択候補のなかから何れかの操作履歴が前記操作手段を介してオペレータにより選択され、且つ、当該選択された操作履歴を利用するジョブ処理の実行要求が前記操作手段を介して入力された場合に、当該操作履歴を利用するジョブ処理を前記ジョブ処理装置により実行させる制御手段と、
を有することを特徴とするジョブ処理システム。
【請求項２】
前記制御手段は、
前記認証処理がなされたオペレータに対する提示を許可する操作履歴の選択候補を前記操作手段に表示させる時点における前記ジョブ処理装置の状態に基づいて、前記操作履歴を利用するジョブ処理を制限することを特徴とする請求項１記載のジョブ処理システム。
【請求項３】
前記表示制御手段は、
前記認証処理がなされたオペレータに対して、当該オペレータ自身の操作履歴と他の操作履歴とを区別して前記操作手段を介して提示可能とすることを特徴とする請求項１又は２記載のジョブ処理システム。
【請求項４】
前記表示制御手段は、
前記認証処理がなされたオペレータに対しては、少なくとも当該オペレータ自身の操作履歴を、前記操作手段を介して提示可能にし、
前記認証処理がなされないオペレータに対しては、少なくとも当該認証処理がなされた時点にて利用可能な操作履歴を、前記操作手段を介して提示可能にすることを特徴とする請求項１乃至３の何れかに記載のジョブ処理システム。
【請求項５】
前記表示制御手段は、
前記認証処理がなされたオペレータに対する提示を許可する操作履歴の選択候補を前記操作手段により表示させる時点における前記ジョブ処理装置の状態に基づいて決定される利用不可の操作履歴と利用可能な操作履歴とを区別して前記操作手段により表示させることを特徴とする請求項１乃至４の何れかに記載のジョブ処理システム。
【請求項６】
前記表示制御手段は、
前記認証処理がなされたオペレータに対する提示を許可する操作履歴の選択候補を前記操作手段による表示させる時点における前記ジョブ処理装置の状態に基づいて決定される利用不可の操作履歴を、オペレータからの明示的な要求がなされた場合に、前記操作手段により表示させることを許可し、
前記オペレータからの明示的な要求がなされない場合には、前記利用不可の操作履歴は前記操作手段により表示させずに、前記ジョブ処理装置の状態に基づいて決定される利用可能な操作履歴を、前記操作手段により表示させることを特徴とする請求項１乃至５の何れかに記載のジョブ処理システム。
【請求項７】
前記操作履歴を利用するジョブ処理は、
スキャナ手段からの画像データの印刷処理を前記ジョブ処理装置により実行させるコピージョブの処理、及び、
スキャナ手段からの画像データの印刷処理を前記ジョブ処理装置とは異なる他のジョブ処理装置により実行させるリモートコピージョブの処理、及び、
ホストコンピュータからの画像データの印刷処理を前記ジョブ処理装置により実行させるプリントジョブの処理、及び、
前記ジョブ処理装置が具備する記憶手段に画像データを保存するボックスジョブの処理、及び、
前記ジョブ処理装置から外部装置へ画像データを送信する送信ジョブの処理、のうちの、
少なくとも何れかのジョブ処理であることを特徴とする請求項１乃至６の何れかに記載のジョブ処理システム。
【請求項８】
前記表示制御手段は、
前記認証手段によるオペレータの認証処理が前記ジョブ処理装置にてなされた場合に、前記記憶手段から取得した当該認証処理がなされたオペレータに対する提示を許可する操作履歴の選択候補を当該ジョブ処理装置の操作手段に表示させ、
前記制御手段は、
前記選択候補のなかから何れかの操作履歴が前記ジョブ処理装置の操作手段を介してオペレータにより選択され、且つ、当該選択された操作履歴を利用するジョブ処理の実行要求が当該ジョブ処理装置の操作手段を介して入力された場合に、当該操作履歴を利用するジョブ処理を当該ジョブ処理装置により実行させることを特徴とする請求項１乃至７の何れかに記載のジョブ処理システム。
【請求項９】
前記表示制御手段は、
前記認証手段によるオペレータの認証処理が前記ジョブ処理装置とデータ通信可能な情報処理装置にてなされた場合に、前記記憶手段から取得した当該認証処理がなされたオペレータに対する提示を許可する操作履歴の選択候補を当該情報処理装置の操作手段に表示させ、
前記制御手段は、
前記選択候補のなかから何れかの操作履歴が前記情報処理装置の操作手段を介してオペレータにより選択され、且つ、当該選択された操作履歴を利用するジョブ処理の実行要求が当該情報処理装置の操作手段を介して入力された場合に、当該操作履歴を利用するジョブ処理を前記ジョブ処理装置により実行させることを特徴とする請求項１乃至７の何れかに記載のジョブ処理システム。
【請求項１０】
操作手段におけるオペレータ操作に従ったジョブ処理を実行するジョブ処理装置の操作履歴を複数記憶可能な記憶手段に記憶された操作履歴を利用可能にしたジョブ処理システムの制御方法であって、
認証手段によるオペレータの認証処理がなされた場合に、前記記憶手段から取得した当該認証処理がなされたオペレータに対する提示を許可する操作履歴の選択候補を前記操作手段に表示させ、
前記選択候補のなかから何れかの操作履歴が前記操作手段を介してオペレータにより選択され、且つ、当該選択された操作履歴を利用するジョブ処理の実行要求が前記操作手段を介して入力された場合に、当該操作履歴を利用するジョブ処理を前記ジョブ処理装置により実行させることを特徴とする制御方法。
【請求項１１】
前記制御方法は、
前記認証処理がなされたオペレータに対する提示を許可する操作履歴の選択候補を前記操作手段に表示させる時点における前記ジョブ処理装置の状態に基づいて、前記操作履歴を利用するジョブ処理を制限することを特徴とする請求項１０記載の制御方法。
【請求項１２】
前記制御方法は、
前記認証処理がなされたオペレータに対して、当該オペレータ自身の操作履歴と他の操作履歴とを区別して前記操作手段を介して提示可能とすることを特徴とする請求項１０又は１１記載の制御方法。
【請求項１３】
前記制御方法は、
前記認証処理がなされたオペレータに対しては、少なくとも当該オペレータ自身の操作履歴を、前記操作手段を介して提示可能にし、
前記認証処理がなされないオペレータに対しては、少なくとも当該認証処理がなされた時点にて利用可能な操作履歴を、前記操作手段を介して提示可能にすることを特徴とする請求項１０乃至１２の何れかに記載の制御方法。
【請求項１４】
前記制御方法は、
前記認証処理がなされたオペレータに対する提示を許可する操作履歴の選択候補を前記操作手段により表示させる時点における前記ジョブ処理装置の状態に基づいて決定される利用不可の操作履歴と利用可能な操作履歴とを区別して前記操作手段により表示させることを特徴とする請求項１０乃至１３の何れかに記載の制御方法。
【請求項１５】
前記制御方法は、
前記認証処理がなされたオペレータに対する提示を許可する操作履歴の選択候補を前記操作手段による表示させる時点における前記ジョブ処理装置の状態に基づいて決定される利用不可の操作履歴を、オペレータからの明示的な要求がなされた場合に、前記操作手段により表示させることを許可し、
前記オペレータからの明示的な要求がなされない場合には、前記利用不可の操作履歴は前記操作手段により表示させずに、前記ジョブ処理装置の状態に基づいて決定される利用可能な操作履歴を、前記操作手段により表示させることを特徴とする請求項１０乃至１４の何れかに記載の制御方法。
【請求項１６】
前記操作履歴を利用するジョブ処理は、
スキャナ手段からの画像データの印刷処理を前記ジョブ処理装置により実行させるコピージョブの処理、及び、
スキャナ手段からの画像データの印刷処理を前記ジョブ処理装置とは異なる他のジョブ処理装置により実行させるリモートコピージョブの処理、及び、
ホストコンピュータからの画像データの印刷処理を前記ジョブ処理装置により実行させるプリントジョブの処理、及び、
前記ジョブ処理装置が具備する記憶手段に画像データを保存するボックスジョブの処理、及び、
前記ジョブ処理装置から外部装置へ画像データを送信する送信ジョブの処理、のうちの、
少なくとも何れかのジョブ処理であることを特徴とする請求項１０乃至１５の何れかに記載の制御方法。
【請求項１７】
前記制御方法は、
前記認証手段によるオペレータの認証処理が前記ジョブ処理装置にてなされた場合に、前記記憶手段から取得した当該認証処理がなされたオペレータに対する提示を許可する操作履歴の選択候補を当該ジョブ処理装置の操作手段に表示させ、
且つ、前記制御方法は、
前記選択候補のなかから何れかの操作履歴が前記ジョブ処理装置の操作手段を介してオペレータにより選択され、且つ、当該選択された操作履歴を利用するジョブ処理の実行要求が当該ジョブ処理装置の操作手段を介して入力された場合に、当該操作履歴を利用するジョブ処理を当該ジョブ処理装置により実行させることを特徴とする請求項１０乃至１６の何れかに記載の制御方法。
【請求項１８】
前記制御方法は、
前記認証手段によるオペレータの認証処理が前記ジョブ処理装置とデータ通信可能な情報処理装置にてなされた場合に、前記記憶手段から取得した当該認証処理がなされたオペレータに対する提示を許可する操作履歴の選択候補を当該情報処理装置の操作手段に表示させ、
且つ、前記制御方法は、
前記選択候補のなかから何れかの操作履歴が前記情報処理装置の操作手段を介してオペレータにより選択され、且つ、当該選択された操作履歴を利用するジョブ処理の実行要求が当該情報処理装置の操作手段を介して入力された場合に、当該操作履歴を利用するジョブ処理を前記ジョブ処理装置により実行させることを特徴とする請求項１０乃至１６の何れかに記載の制御方法。
【請求項１９】
請求項１０乃至１８の何れかに記載の制御方法をコンピュータに実行させるためのプログラム。
【請求項２０】
請求項１０乃至１８の何れかに記載の制御方法をコンピュータに実行させるためのプログラムを記憶したコンピュータ読取可能な記憶媒体。
【請求項２１】
請求項１０乃至１８の何れかに記載の制御方法を実行するためのジョブ処理装置。
【手続補正２】
【補正対象書類名】明細書
【補正対象項目名】発明の名称
【補正方法】変更
【補正の内容】
【発明の名称】ジョブ処理システム及びジョブ処理システムの制御方法及びプログラム及び記憶媒体及びジョブ処理装置
【手続補正３】
【補正対象書類名】明細書
【補正対象項目名】０００１
【補正方法】変更
【補正の内容】
【０００１】
操作手段におけるオペレータ操作に従ったジョブ処理を実行するジョブ処理装置の操作履歴を複数記憶可能な記憶手段に記憶された操作履歴を利用可能にしたジョブ処理システム及びジョブ処理システムの制御方法及びプログラム及び記憶媒体及びジョブ処理装置に関するものである。
【手続補正４】
【補正対象書類名】明細書
【補正対象項目名】００２３
【補正方法】変更
【補正の内容】
【００２３】
本発明は、上記の問題点を解決するためになされたもので、本発明の目的は、実際には再利用する可能性が低い他人の操作履歴までが操作手段に表示され自分自身の操作履歴を見つけることが困難になる問題や、操作履歴を記憶できる数の上限に達した場合に古い操作履歴が前記操作手段における他人の操作により削除されてしまうという問題点を解決し、操作者は所望の操作履歴を前記操作手段を介して容易に選択して再利用することができる仕組を提供することである。
【手続補正５】
【補正対象書類名】明細書
【補正対象項目名】００２４
【補正方法】変更
【補正の内容】
【００２４】
また、他の目的は、認証処理がなされたオペレータに対する提示を許可する操作履歴の選択候補を操作手段に表示させる時点におけるジョブ処理装置の状態に起因して利用不可の操作履歴があったとしてもオペレータはそれに気づき辛く、実際にジョブ処理を開始する時点になって初めて不正な設定があったことに気づき、再設定により生産性の低下を招くといった問題を解決する仕組を提供することである。
【手続補正６】
【補正対象書類名】明細書
【補正対象項目名】００２５
【補正方法】変更
【補正の内容】
【００２５】
本発明は、操作手段におけるオペレータ操作に従ったジョブ処理を実行するジョブ処理装置の操作履歴を複数記憶可能な記憶手段に記憶された操作履歴を利用可能にしたジョブ処理システムであって、認証手段によるオペレータの認証処理がなされた場合に、前記記憶手段から取得した当該認証処理がなされたオペレータに対する提示を許可する操作履歴の選択候補を前記操作手段に表示させる表示制御手段と、前記選択候補のなかから何れかの操作履歴が前記操作手段を介してオペレータにより選択され、且つ、当該選択された操作履歴を利用するジョブ処理の実行要求が前記操作手段を介して入力された場合に、当該操作履歴を利用するジョブ処理を前記ジョブ処理装置により実行させる制御手段と、を有することを特徴とする。
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】変更
【補正の内容】
【００５１】
請求項１記載の本発明によれば、操作手段におけるオペレータ操作に従ったジョブ処理を実行するジョブ処理装置の操作履歴を複数記憶可能な記憶手段に記憶された操作履歴を利用可能にしたジョブ処理システムであって、認証手段によるオペレータの認証処理がなされた場合に、前記記憶手段から取得した当該認証処理がなされたオペレータに対する提示を許可する操作履歴の選択候補を前記操作手段に表示させる表示制御手段と、前記選択候補のなかから何れかの操作履歴が前記操作手段を介してオペレータにより選択され、且つ、当該選択された操作履歴を利用するジョブ処理の実行要求が前記操作手段を介して入力された場合に、当該操作履歴を利用するジョブ処理を前記ジョブ処理装置により実行させる制御手段と、を有することを特徴とするジョブ処理システムを提供するので、実際には再利用する可能性が低い他人の操作履歴までが前記操作手段に表示され自分自身の操作履歴を見つけることが困難になる問題や、操作履歴を記憶できる数の上限に達した場合に古い操作履歴が前記操作手段における他人の操作により削除されてしまう問題を解決し、操作者は所望の操作履歴を前記操作手段を介して容易に選択して再利用することができる。
【手続補正３３】
【補正対象書類名】明細書
【補正対象項目名】００５２
【補正方法】変更
【補正の内容】
【００５２】
また、前記認証処理がなされたオペレータに対する提示を許可する操作履歴の選択候補を前記操作手段に表示させる時点における前記ジョブ処理装置の状態に起因して利用不可の操作履歴があったとしてもオペレータはそれに気づき辛く、実際にジョブ処理を開始する時点になって初めて不正な設定があったことに気づき、再設定により生産性の低下を招くといった問題も起こることなく上記効果を得ることができる。
【手続補正３４】
【補正対象書類名】明細書
【補正対象項目名】００５３
【補正方法】削除
【補正の内容】
【手続補正３５】
【補正対象書類名】明細書
【補正対象項目名】００５４
【補正方法】削除
【補正の内容】
【手続補正３６】
【補正対象書類名】明細書
【補正対象項目名】００５５
【補正方法】変更
【補正の内容】
【００５５】
このように、複数操作者が使用する環境や操作時の装置状態を考慮した操作者本位の優れた操作履歴利用環境により容易に設定操作を簡略化可能なジョブ処理システム、ジョブ処理装置、ジョブ処理装置の制御方法、プログラム、記憶媒体を提供することができる等の効果を奏する。